(57)【要約】【課題】照明装置の点検の進捗情報を表示することで点検者が点検終了時刻を認識できる点検システムおよび通信端末を提供する。【解決手段】  実施形態の点検システム１は、光源１１と、外部電源から供給された電力を充電し、充電した電力を光源１１に供給する蓄電池１２と、蓄電池１２の点検を行う点検部１５と、外部と通信可能であり点検情報を送受信する無線通信部１４とを有し、無線通信部１４から点検信号を受信すると点検部１５に点検を実行させる照明装置１０と、照明装置１０と通信可能であり照明装置１０に点検を実行させる点検信号を送信する通信部２５と、照明装置１０における点検の進捗情報を表示する表示部２７とを有する通信端末２０とを備える。【選択図】図１
2019179634.tif 000002
【特許請求の範囲】
【請求項１】
光源と、外部電源から供給された電力を充電し、前記充電した電力を前記光源に供給する蓄電池と、前記蓄電池の点検を行う点検部と、外部と通信可能であり点検情報を送受信する無線通信部とを有し、前記無線通信部から点検信号を受信すると前記点検部に点検を実行させる照明装置と；
前記照明装置と通信可能であり前記照明装置に点検を実行させる点検信号を送信する通信部と、前記照明装置における点検の進捗情報を表示する表示部と、を有する通信端末と；
を具備したことを特徴とする点検システム。
【請求項２】
前記通信端末は、前記表示部に前記照明装置の外観の検査結果を入力する入力セルを有していることを特徴とする請求項１に記載の点検システム。
【請求項３】
前記通信端末は、前記外観の検査結果および前記照明装置から取得した点検情報により点検結果の合否を判断することを特徴とする請求項２に記載の点検システム。
【請求項４】
前記通信端末は、前記入力セルに前記外観の検査結果を入力しなければ前記照明装置の点検情報を取得できないまたは合否を表示しないことを特徴とする請求項２または請求項３に記載の点検システム。
【請求項５】
点検部を搭載した照明装置と通信可能であり前記照明装置に点検を実行する信号を送信する通信部と；
前記照明装置の点検の進捗情報を表示する表示部と；
を具備したことを特徴とする通信端末。
【発明の詳細な説明】
【技術分野】
【０００１】
本発明の実施形態は、照明装置の点検を行う点検システム、および通信端末に関する。
【背景技術】
【０００２】
従来、非常時に蓄電池を用いて点灯する非常用の照明装置や避難経路等への誘導のために点灯する誘導用の照明装置が提供されている。これら、照明装置は、法令により照明装置の点検を定期的にことが定められている。照明装置の定期的な点検は、およそ半年に1回実施することが義務付けられており、点検者が照明装置を規定の点検時間以上連続して点灯するか否かを確認する。この点検時間は、非常灯の場合３０分であり、誘導灯の場合２０分である。また、点検者は点検時にランプの点灯の他、本体などの外観の汚れ、傷など目視による検査を行う。
【０００３】
近年では、点検作業を容易化するために、照明装置に外部通信端末と無線通信が可能である無線通信機を搭載した構成も提案されている。たとえば、作業者は外部通信端末から点検命令を照明装置に送信し、点検信号を受信した照明装置は蓄電池の電力により光源を点灯させ、蓄電池の点灯時間、点灯回数および電圧等の点検情報を点検する。点検終了後に作業者は、外部通信端末と照明装置を通信させ点検結果を収集する。
【０００４】
しかしながら、作業者は複数台の照明装置の点検を実施する場合、照明装置の点検終了時間が分かりにくいため目視による検査を行うスケジューリングが煩雑になる問題があった。
【先行技術文献】
【特許文献】
【０００５】
【特許文献１】特開２００７−２１４１４６号公報
【発明の概要】
【発明が解決しようとする課題】
【０００６】
本発明が解決しようとする課題は、照明装置の点検の進捗情報を表示することで点検者が点検終了時刻を認識できる点検システムおよび通信端末を提供する。
【課題を解決するための手段】
【０００７】
実施形態の点検システムは、光源と、外部電源から供給された電力を充電し、充電した電力を光源に供給する蓄電池と、蓄電池の点検を行う点検部と、外部と通信可能であり点検情報を送受信する無線通信部とを有し、無線通信部から点検信号を受信すると点検部に点検を実行させる照明装置と、照明装置と通信可能であり照明装置に点検を実行させる点検信号を送信する通信部と、照明装置における点検の進捗情報を表示する表示部とを有する通信端末とを備える。
【発明の効果】
【０００８】
本発明によれば、通信端末に点検の進捗情報を表示することにより、点検者は容易に点検の経過度合を認識できるため点検のスケジューリングを容易に行うことが期待できる。
【図面の簡単な説明】
【０００９】
【図１】実施形態の点検システムの構成を示す図である。
【図２】実施形態の照明装置の斜視図である。
【図３】実施形態の照明装置の構成例を示す図である。
【図４】実施形態の通信端末の構成例を示す図である。
【図５】実施形態の通信端末の表示部の表示例（点検開始前）を示す図である。
【図６】実施形態の通信端末の表示部の表示例（一括点検中）を示す図である。
【図７】実施形態の通信端末の表示部の表示例（一括点検完了後）を示す図である。
【図８】実施形態の通信端末の表示部の表示例（点検結果取得後合格）を示す図である。
【図９】実施形態の通信端末の表示部の表示例（点検結果取得後不合格）を示す図である。
【図１０】実施形態の点検システムの点検動作の流れを示すシーケンス図である。
【図１１】実施形態の通信端末の表示部の表示例（グループ点検中）を示す図である。
【図１２】実施形態の通信端末の表示部の表示例（グループ点検完了後）を示す図である。
【図１３】実施形態の通信端末の表示部の表示例（点検結果取得後）を示す図である。
【発明を実施するための形態】
【００１０】
以下、実施形態を図面を参照して説明する。
【００１１】
図１に示すように、点検システム１００は、オフィスや商業施設内の照明空間１の天井面に設置された複数の照明装置１０（１０a〜１０i)と、照明装置１０と通信可能に接続される通信端末２０とから構成される。具体的には、照明装置１０は停電時などの非常時に点灯する非常灯であり、それぞれ天井面に所定の間隔で設置されている。通信端末２０は、スマートフォンやタブレット通信端末等の携帯通信端末であり、照明装置１０と無線通信が可能に構成されている。
【００１２】
また、各照明装置１０a〜１０i間、および各照明装置１０a〜１０iと通信端末２０との間の通信方式は、たとえば、ＢＬＥ（Bluetooth（登録商標）Low  Energy）などのメッシュネットワークが可能な無線通信方式である。
【００１３】
たとえば、通信端末２０は、照明装置１０に点検信号を送信し、照明装置１０の点検動作を実行する。
【００１４】
図３および図４を併せて参照して示すように照明装置１０は、無線通信を行う通信部１４を有し、通信部１４を介して自身の点検情報を通信端末２０へ送信する。また、通信端末２０から送信された点検信号を受信する。
【００１５】
通信端末２０は、通信部２５を有し照明装置１０から送信された点検情報を受信する。また。照明装置１０に対して点検信号を送信する。
【００１６】
次に、照明装置１０a〜１０iの構成例を説明する。照明装置１０ａ〜１０iは、同様の構成であるため、照明装置１０として説明する。
【００１７】
図２および図３は、照明装置１０の構成を示している。照明装置１０は、制御部１３、メモリ部１７、通信部１４および光源１１などを備え、これらは照明装置の筐体１６の内部に収納されている。また、筐体１６の背面側には、外部電源（図示しない）と接続される端子台１９が設けられている。照明装置１０は、端子台１９を介して供給された外部電源の電力により駆動する。
【００１８】
図３に示すように、照明装置１０は、制御部１３、メモリ部１７、通信部１４および光源１１などを備える。これらの各部は、データバスを介して互いに接続されている。なお、照明装置１０は、図３に示すような構成の他に必要に応じた構成を具備したり、特定の構成を除外したりしてもよい。
【００１９】
制御部１３は、通信端末２０全体の動作を制御する機能を有する。制御部１３は、内部メモリ又はメモリ部１７に予め記憶したプログラムを実行することにより種々の処理を実現する。制御部１３は、たとえば、プロセッサである。
【００２０】
メモリ部１７（記憶部）は、揮発性メモリおよび不揮発性メモリなどから構成される。たとえば、メモリ部１７は、予め制御用のプログラムおよび制御データなどを格納する。また、メモリ部１７は、制御部１３の処理中のデータなどを一時的に格納する。メモリ部１７は、自身を示す識別情報を格納する。識別情報は、照明装置１０を特定する情報である。たとえば、識別情報は、ＭＡＣアドレスなどの固有アドレスである。メモリ部１７は、製造時において識別情報を格納してもよい。
【００２１】
また、メモリ部１７は照明装置の機種を表す機種番号を格納する。機種番号は照明装置の機種を表す番号であり、たとえば非常灯や誘導灯など各々の機種に共通した番号が付けられる。メモリ部１７は、製造時において機種番号を格納してもよい。
【００２２】
また、メモリ部１７は、点検情報を格納する。ここで、点検情報とは点検部１５により点検された蓄電池１２の電圧、電流、温度、放電時間および放電回数などの情報である。
【００２３】
蓄電池１２は、筐体３０の内部に着脱可能な電池であり、ニカド電池、ニッケル水素電池、あるいはリチウムイオン電池などの充電可能な二次電池である。
【００２４】
点検部１５は、蓄電池１２の点検を実施する。ここで、点検とは、外部電源からの電力の供給を一時的に遮断し、蓄電池１２の電力により光源１１を法令で定められた所定の時間点灯させる動作である。具体的には、照明装置１０が非常灯である場合、蓄電池１２の電力により光源１１を３０分間点灯させ、蓄電池１２の電圧、電流、温度、放電時間および放電回数を検知することにより蓄電池１２が正常に動作するか否かの点検を行い、これらの点検情報をメモリ部１７に出力する。
【００２５】
通信部１４は、無線通信で通信端末２０および他の照明装置１０とデータを送受信するためのインターフェースである。通信部１４は、たとえば、Ｂｌｕｅｔｏｏｔｈ（登録商標）接続をサポートするインターフェースである。ここでは、通信部１４は、ＢＬＥ通信をサポートするものとする。
【００２６】
光源１１は、蓄電池１２からの電力の供給により発光する。光源１１は、たとえば、白熱電球、蛍光灯、又は、ＬＥＤなどから構成される。
【００２７】
次に、通信端末２０の構成例について説明する。
【００２８】
図４は、通信端末２０の構成例を示す図である。
【００２９】
図４に示す構成例において、通信端末２０は、基本的な構成として、制御部２１、メモリ部２２、計時部２３、通信部２５、操作部２６および表示部２７などを備える。これらの各部は、データバスを介して互いに接続されている。なお、通信端末２０は、図４に示すような構成の他に必要に応じた構成を具備したり、特定の構成を除外したりしてもよい。
【００３０】
制御部２１は、通信端末２０全体の動作を制御する機能を有する。制御部２１は、メモリ部２２が予め記憶するプログラムを実行することにより種々の処理を実現する。
【００３１】
なお、制御部２１がプログラムを実行することにより実現する各種の機能のうちの一部は、ハードウエア回路により実現されるものであっても良い。この場合、制御部２１は、ハードウエア回路により実行される機能を制御する。
【００３２】
メモリ部２２（記憶部）は、揮発性メモリおよび不揮発性メモリなどから構成される。たとえば、メモリ部２２は、予め制御用のプログラムおよび制御データなどを格納する。
【００３３】
さらに、メモリ部２２は、照明装置１０の種類による点検時間の情報を格納しており、たとえば、照明装置１０が非常灯であれば３０分、誘導灯であれば２０分の点検時間を格納する。
【００３４】
また、メモリ部２２は、通信部２５を介して受信した照明装置１０のアドレスや点検情報など照明装置１０の情報や照明装置１０の種類に該当する装置アイコンを格納する。
【００３５】
計時部２３は、時間を計時する機能を有しており、たとえば通信部２５を介して点検信号が送信された動作をトリガとして計時を開始する。
【００３６】
通信部２５は、無線通信で照明機器１０とのデータを送受信するためのインターフェースである。通信部２５は、たとえば、Ｂｌｕｅｔｏｏｔｈ接続をサポートするインターフェースである。ここでは、通信部２５は、Ｂｌｕｅｔｏｏｔｈ  Ｌｏｗ  Ｅｎｅｒｇｙ（ＢＬＥ）通信をサポートするものとする。
【００３７】
操作部２６は、通信端末２０の操作者によって、種々の操作指示が入力される。操作部２６は、操作者によって入力された操作指示の信号を制御部２１へ送信する。操作部２６は、たとえば、キーボード、テンキー、およびタッチパネルなどである。
【００３８】
表示部２７は、制御部２１の制御により種々の情報を表示する表示装置である。表示部２７は、たとえば、液晶モニタなどである。なお、操作部２６がタッチパネルなどで構成される場合、表示部２７は、操作部２６と一体的に形成されてもよい。
【００３９】
ここでは、操作部２６は、タッチパネルから構成され、表示部２７と一体的に形成され
るものとする。
【００４０】
また、通信端末２０は複数の照明装置１０をグルーピングする機能を有しており、メモリ部２２にグル―ピング情報を格納する。
【００４１】
次に点検システム１００の点検動作の流れを説明する。
【００４２】
図５ないし図９を用いて点検システム１００の一括点検動作について説明する。ここで、一括点検とは図１に示す照明装置１０a〜１０iを一括で点検することである。通信端末２０は、照明装置１０a〜１０iと予め通信を行い、装置情報（アドレス）を通信端末２０のメモリ部２２に登録させており、グルーピングを完了しているものとする。具体的には、照明装置１０a〜１０ｃを第１のグループ、照明装置１０ｄ〜１０iを第２のグループとして登録させている。
【００４３】
図５はグルーピングが完了した後の通信端末２０の表示部２７を示している。図５に示すように通信端末２０の制御部２１は、表示部２７に、プルダウンボタン３１、グループ名称３２、グループ台数３３、グループ点検開始ボタン３４（３４Ａ、３４Ｂ）を示すテーブル３５を表示する。グループ名称３２は点検者により任意に変更することができ、ここでは、第１のグループのグループ名称を「廊下」、第２グループのグループ名称を「山側」としている。
【００４４】
点検者がプルダウンボタン３１をタップした場合、グループに所属している照明装置１０の装置アイコン３６、アドレス３７のリストを表示する。たとえば、点検者がグループ名「山側」のプルダウンボタン３１をタップすると、「山側」に所属している照明装置１０ｄ〜１０iの機種を示す装置アイコン、装置アドレスをメモリ部２２から呼び出し表示部２７に表示する。
【００４５】
グループ点検開始ボタン３４はグループに所属している照明装置１０に点検信号を送信するためのものであり、たとえば、通信端末２０は「廊下」のグループ点検開始ボタン３４がタップされると「廊下」に所属している照明装置１０a〜１０ｃに対して点検を実施する点検信号を送信する。この点検信号を照明装置１０aが受信した場合、照明装置１０aはメッシュネットワークにより照明装置１０b〜１０ｃへ点検信号を送信する。グループ点検の動作については後述する。一方、表示部２７の下部に表示される一括点検開始ボタン３８は、通信端末２０に登録している照明装置１０a〜１０iを一括で点検を行うためのものであり、通信端末２０はこの一括点検開始ボタン３８がタップされると通信部２５を介して照明装置１０a〜１０iに点検信号を送信する。たとえば、この点検信号を照明装置１０aが受信した場合、照明装置１０aはメッシュネットワークにより照明装置１０b〜１０iへ点検信号を送信する。
【００４６】
図６は、一括点検開始ボタン３８がタップされた場合の通信端末２０の表示部２７である。通信端末２０は、一括点検開始ボタン３８がタップされると、照明装置１０へ点検信号を送信するとともに、計時部２３の計時を開始し、表示部２７に点検の進捗状況を示す点検進捗画面３９を表示する。本実施形態では照明装置１０は非常灯であるため、メモリ部２２に格納された点検所要時間３０分を呼び出し表示部２７に点検進捗画面３９によって点検の進捗情報を表示する。この点検進捗画面３９は、計時部２３の計時時間に基づいて時間がカウントされており、進捗情報として点検所要時間と点検経過時間が表示される。図６に示すように点検開始から５分経過した場合、点検進捗画面３９には点検所要時間３０分、点検経過時間５分が表示される。また、点検進捗画面３９は、図に示すようにメータ表示３９１でもよく、時間の経過とともにハッチング部分が増加し、ハッチングの位置により点検の進捗状況に認識できるものでもよい。また、点検進捗画面３９はこれに限るものではなく、たとえば数字のみの表示でもよく、点検者が点検の進捗状況が認識できる表示であればよい。
【００４７】
また、点検進捗画面３９が表示されている間は、表示部２７の下部に一括点検中止画面３８１を表示する。この一括点検中止画面３８１がタップされると、点検を中止する中止信号が通信部２５を介して照明装置１０に送信される。この信号を受信した照明装置１０は点検動作を中止する。
【００４８】
通信端末２０は、点検進捗画面３９を表示後に表示部２７の下部に外観検査結果を入力できるセルを表示する。このセルは、点検者が外観検査を行い検査結果をタップして入力するものであり、光源１１の点灯状態の検査結果を入力する点灯検査結果入力セル４０および照明装置の汚れ、傷などの有無の検査結果を入力する外観検査結果入力セル４１からなる。点灯検査結果入力セル４０および外観検査結果入力セル４１は、点検者によりタップされると「○」と「×」のマークを表示する。点検者は検査結果が合格である場合、「○」を選択し、検査結果が不合格である場合は、「×」を選択することにより検査結果が入力される。
【００４９】
点検者は、点検対象である照明装置１０a〜１０iの点灯状態および汚れ、傷などの外観を目視により検査し、検査結果を点灯検査結果入力セル４０および外観検査結果入力セル４１に入力する。これらの検査は、１台ずつ目視により検査する必要があるため設置台数に応じて検査にかかる時間が異なる。そのため、点検者は点検進捗画面３９により点検の進捗状況を把握し、進捗状況に合わせてこれら検査のスケジューリングを容易に行うことができる。
【００５０】
図７に点検時間が終了した場合の通信端末２０の表示部２７を示す。通信端末２０は、予め設定した点検時間を経過すると点検進捗画面３９に「点検完了」を表示するとともに、表示部２７の下部に結果取得ボタン４２を表示する。通信端末２０は、結果取得ボタン４２がタップされると照明装置１０a〜１０iに対し点検情報を要求する要求信号を送信する。たとえば、この要求信号を照明装置１０aが受信した場合、照明装置１０aはメッシュネットワークを介して照明装置１０ｂ〜１０iに要求信号を送信する。要求信号を受信した各照明装置は自身の点検情報をネットワークを介して送信し、照明装置１０aが照明装置１０b〜１０iの点検情報を収集し通信端末２０へ送信する。通信端末２０は、照明装置１０aから受信した点検情報により各照明装置１０に問題が無いかを判定する。そして、通信端末２０は、この点検情報の判定結果と点検者が入力した点灯状態検査結果および外観検査結果に基づいて点検の合否を判定する。具体的には、図８に示すように各照明装置１０の点検情報に問題が無く、点灯状態検査結果および外観検査結果に問題がない場合、点検結果は合格と判定され点検進捗画面３９に「点検合格」を表示する。一方、１台でも点検情報に問題があった場合、図９に示すように点検進捗画面３９に「点検不合格」を表示し、点検情報に問題がある照明装置１０のテーブルにハッチングをかける。また、各照明装置１０の点検情報に問題が無く、点灯状態検査結果または外観検査結果外観検査に問題がった場合、点検進捗画面３９に「点検不合格」を表示する。つまり、通信端末２０は、照明装置１０から取得した点検情報および点検者が入力した点灯状態検査結果および外観検査結果に基づいて合否の判定を行い、どちらの結果にも問題が見られない場合のみ合格とする。
【００５１】
また、図７において通信端末２０が照明装置１０の点検情報を取得する場合、点灯状態検査結果および外観検査結果を入力しなければ、結果取得ボタン４２をタップしても要求信号が送信されないようにすることで、点検者が点灯状態検査および外観検査を失念するおそれを抑制することができる。
【００５２】
また、図８において通信端末２０は、点検合否を表示する場合、照明装置１０の点検情報の取得および点灯状態検査結果、外観検査結果を入力しなければ、点検合否が表示しないようにすることが好ましい。これにより、点検者が点検合否を確認するためには検情報の取得および点灯状態検査結果、外観検査結果が必要となるため点検および検査を失念するおそれをより抑制することができる。
【００５３】
次に、点検システム１００の一括点検の動作例について説明する。
【００５４】
図１０は、点検システム１００が一括点検を行う動作の流れを説明するためのシーケンス図である。簡略化のため、通信端末２０、照明装置１０a、１０ｂ、１０iの動作例を示す。ここでは、照明装置１０a〜１０iはグルーピングされ通信端末２０に記憶されているものとする。
【００５５】
まず、点検者は通信端末２０の一括点検開始ボタン３８をタップする（Ｓ１）。一括点検開始ボタン３８がタップされた通信端末２０は、記憶部１７から点検対象となる照明装置１０a〜１０iのアドレスを呼び出し、このアドレスを有する照明装置１０に対し点検を実施する点検信号を送信する。この点検信号を受信した照明装置１０aはメッシュネットワークを介して照明装置１０ｂ〜１０iへ点検信号を送信する（Ｓ２）。通信端末２０は、点検信号を送信した直後に計時部２３の計時を開始し、表示部２７に点検進捗画面３９を表示する。一方、照明装置１０aは外部電源を遮断し、蓄電池１２の電力により光源１１を点灯されるとともに点検部１５により蓄電池１２の点検を開始する（Ｓ３）。点検進捗画面３９が表示されると点検者は、各照明装置１０の目視による点灯状態検査および外観検査を行い、点灯検査結果入力セル４０および外観検査結果入力セル４１に検査結果を入力する（Ｓ４）。通信端末２０は、計時部２３の計時時間が点検時間を経過すると、点検進捗画面３９に「点検完了」の表示し、表示部２７の下部に結果取得ボタン４２を表示する。一方、照明装置１０a〜１０iは所定の時間に達すると点検動作を終了し、点検情報を記憶部１７に記憶させるとともに外部電源の電力により電池１２を充電する（Ｓ５）。通信端末２０は、結果取得ボタン４２がタップされると照明装置１０に対し点検情報を要求する要求信号を送信する。この要求信号を受信した照明装置１０aは、メッシュネットワークを介して照明装置１０ｂ〜１０iに要求信号送信する（Ｓ７）。要求信号を受信した各照明装置１０ｂ〜１０iは、自身の記憶部１７に記憶した点検情報を呼び出しメッシュネットワークを介して送信する。照明装置１０aは、メッシュネットワークを介して照明装置１０ｂ〜１０iの点検情報を収集すると通信端末２０へ点検情報を送信する（Ｓ８）。点検情報を受信した通信端末２０は、点検情報に問題が無いかを判断し、点検情報の判定結果とＳ４で入力された点灯検査結果および外観検査結果とに基づいて点検合否を判定する（Ｓ９）。この判定の結果、すべての結果に問題が無ければ「点検合格」を表示する。一方、点検情報、点灯検査結果、外観検査結果異常のいずれかに問題があった場合「点検不合格」を表示する（Ｓ１０）。
【００５６】
次に図５、図１１ないし図１３を用いて点検システム１００のグループ点検動作について説明する。なお、一括点検動作と同一または相当部分には同一符号を付し重複した説明は省略する。
【００５７】
図５に示すように、点検者は、通信端末２０のテーブル３５に表示されたグループ点検開始ボタン３４をタップすることで、予めグルーピングされた照明装置１０をグループ毎に点検することができる。
【００５８】
たとえば、点検者が「廊下」のグループ点検開始ボタン３４Ａをタップすると、通信部２５を介して照明装置１０a〜１０ｃに点検信号を送信する。たとえば、通信端末２０から送信された点検信号を照明装置１０aが受信した場合、照明装置１０aはメッシュネットワークにより照明装置１０b、１０ｃへ点検信号を送信する。
【００５９】
また、「廊下」のグループ点検開始ボタン３４Ｂをタップし場合、照明装置１０ｄ〜１０iに点検信号を送信する。
【００６０】
図１１は、「廊下」のグループ点検開始ボタン３４Ａがタップされた１０分後に「山側」のグループ点検開始ボタン３４Ｂがタップされた場合の通信端末２０の表示部２７である。通信端末２０は、「廊下」のグループ点検開始ボタン３４Ａがタップされると、照明装置１０へ点検信号を送信するとともに、計時部２３の計時を開始し、点検進捗画面３９Ａを表示するとともに、点灯検査結果入力セル４０Ａおよび外観検査結果入力セル４１Ａを表示する。一方、「廊下」のグループ点検開始ボタン３４Ｂがタップされた１０分後に、「山側」のグループ点検開始ボタン３４Ｂがタップされると照明装置１０へ点検信号を送信するとともに、点検進捗画面３９Ｂを表示するとともに、点灯検査結果入力セル４０Ｂおよび外観検査結果入力セル４１Ｂを表示する。
【００６１】
点検者は、点検対象の照明装置１０a〜１０ｃ、照明装置１０ｄ〜１０iの点灯状態および汚れ、傷などの外観を目視により検査し、各グループの点灯検査結果入力セル４０および外観検査結果入力セル４１に入力する。点検進捗画面３９は各グループ毎に表示されるため、点検者は点検の進捗状況を把握し、進捗状況に合わせてこれら目視検査のスケジューリングを容易に行うことができる。
【００６２】
図１２に点検時間が終了した場合の通信端末２０の表示部２７を示す。通信端末２０は、予め設定した点検時間を経過すると点検進捗画面３９Ａ、３９Ｂに点検完了を表示をするとともに、結果取得ボタン４２Ａ、４２Ｂを表示する。通信端末２０は、結果取得ボタン３４がタップされると照明装置１０に対し点検情報を要求する要求信号を送信する。通信端末２０は、照明装置１０から受信した点検情報により各照明装置１０に問題が無いかを判定する。そして、通信端末２０は、この点検情報の判定結果と点検者が入力した点灯状態検査結果および外観検査結果に基づいて点検の合否を判定する。たとえば、「山側」グループの各照明装置１０の点検情報に問題が無く、外観検査結果に問題があった場合、「山側」グループの点検結果は不合格と判定し点検進捗画面３９Ｂに「点検不合格」を表示する。
【００６３】
このように、グループ点検の場合でも、グループ毎に点検の進捗情報を表示することにより、点検者は点検の進捗状況を把握し、進捗状況に合わせてこれら検査のスケジューリングを容易に行うことができる。
【００６４】
また、照明装置１０の点検結果は照明装置１０から取得した点検情報および点検者が入力した点灯状態検査結果および外観検査結果に基づいて合否を判定するため、点検データと目視確認による２重の判定により、点検結果の精度を高めることができる。
【００６５】
本実施形態では、照明装置１０が非常灯の場合について説明したがこれに限るものではない。たとえば、照明装置１０は誘導灯でもよい。その場合、点検時間は２０分であるため、通信端末２０の点検進捗画面は２０分の表示となる。また、たとえば、非常灯と誘導灯を同じグループにグルーピングしてもよい。その場合、通信端末２０の点検進捗画面は３０分の表示となる。
【００６６】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１００  点検システム
１０    照明装置
１１    光源
１２    蓄電池
１４    通信部
１５    点検部
２０    通信端末
２７    表示部
３９    点検進捗画面
４０    点灯検査結果入力セル
４１    外観検査結果入力セル
【図１】
2019179634.tif 000003
【図２】
2019179634.tif 000004
【図３】
2019179634.tif 000005
【図４】
2019179634.tif 000006
【図５】
2019179634.tif 000007
【図６】
2019179634.tif 000008
【図７】
2019179634.tif 000009
【図８】
2019179634.tif 000010
【図９】
2019179634.tif 000011
【図１０】
2019179634.tif 000012
【図１１】
2019179634.tif 000013
【図１２】
2019179634.tif 000014
【図１３】
2019179634.tif 000015